(57)【特許請求の範囲】
【請求項１】
カバーと、刀座と、該刀座に設置されるカッターとを備える刀具と、
該刀座とカバーとの間に、該刀具が該カバーに対して順行回転させれば停止となり、逆行回転させれば稼動する、一方向に回転するつめ車装置とを有し、
前記つめ車装置は、前記刀具に設置される回転部と、前記カバーに設置される止め部とを含み、その内、該止め部は、該回転部の周囲と対応するように位置することを特徴とする往復式鉛筆削り器。
【請求項２】
前記回転部はつめ歯車であり、外縁部から外側に向かって複数のつめ歯が形成され、
前記止め部は内止め歯車であり、止め歯を備え、
前記回転部のつめ歯が止め部の止め歯に噛合されることを特徴とする請求項１に記載の往復式鉛筆削り器。
【請求項３】
前記回転部は止め歯車であり、止め歯を備え、
前記止め部はつめ歯車であり、内縁部に内側に向かって複数のつめ歯が形成され、
前記つめ歯が回転部の止め歯に噛合されることを特徴とする請求項１に記載の往復式鉛筆削り器。
【請求項４】
前記回転部は環状体であり、
前記止め部は複数の止め歯を備える内止め歯車であり、
前記止め部における内止め歯車の各止め歯と回転部の外壁面との間に、少なくとも１つの転動部材が設置され、該転動部材は、該止め部における内止め歯車の止め歯及び回転部の外壁面に接触することを特徴とする請求項１に記載の往復式鉛筆削り器。
【請求項５】
前記回転部は止め歯車であり、止め歯を備え、
前記止め部は環状体であり、
前記回転部における止め歯車の各止め歯と止め部の内壁面との間に、少なくとも１つの転動部材が設置され、該転動部材は、該回転部の止め歯車の止め歯及び止め部の内壁面に接触することを特徴とする請求項１に記載の往復式鉛筆削り器。
【請求項６】
前記カバーに孔部が形成され、
前記刀具の上面に少なくとも１つの当接片が突設され、該当接片は、上端に外側に向かって掛け凸部が突設され、
前記刀具における、該当接片が前記カバーの孔部を貫設されて、該掛け凸部を前記カバーの上面の孔部の縁部に係合させることを特徴とする請求項１乃至５の何れか１項に記載の往復式鉛筆削り器。
【請求項７】
上端に開口端が形成されると共に、底端に閉鎖端が形成される、前記刀具を回転可能に設置するためのケースを有し、該ケースに前記カバーが設置されることを特徴とする請求項６に記載の往復式鉛筆削り器。
【請求項８】
前記ケースの内部に位置するロッド体を備える調整ロッドと、該ロッド体の上端に連接されると共に、軸方向に沿って移動可能に前記刀座の底端に嵌設されるストッパーとを有する調整装置を含むことを特徴とする請求項７に記載の往復式鉛筆削り器。
【請求項９】
前記ケースの底部における閉鎖端に貫通孔が穿設され、該貫通孔の周縁に、間隔をおいて複数の連接片が突設され、
前記調整装置における前記調整ロッドのロッド体の底端に複数の位置決め片が突設され、該各位置決め片に外ねじ山が形成され、
前記ロッド体は、前記ケースの貫通孔を貫通すると共に、前記位置決め片は、前記ケースの外部に位置し、該各位置決め片は、隣接する２つの連接片との間に位置し、
前記調整装置はさらに回転座を有し、該回転座は、前記位置決め片及び連接片の外側に周設されると共に、螺孔が穿設され、該螺孔に前記外ねじ山が螺合されることを特徴とする請求項８に記載の往復式鉛筆削り器。
【請求項１０】
前記ケースの内壁に、間隔をおいて複数のフィンが突設されることを特徴とする請求項７に記載の往復式鉛筆削り器。
【請求項１１】
前記ケース及びカバーの上方に位置し、中心に穿設される位置決め孔と、該位置決め孔の周縁に、間隔をおいて突設される複数の弾性アームとを備える、中空のカバーである位置決めキャップを有することを特徴とする請求項７に記載の往復式鉛筆削り器。
【請求項１２】
前記ケースにおける管体の壁部の開口端の近傍にそれぞれ、間隔をおいて下方に向かって複数の凹部が凹設され、
前記カバーの外周縁から外側に向かって、それぞれ前記ケースの凹部と対応するように複数の翼板が突設され、該翼板を介して前記カバーが前記ケースの凹部に嵌め込まれることを特徴とする請求項７に記載の往復式鉛筆削り器。
【請求項１３】
前記位置決めキャップにゴムカバーが設置されることを特徴とする請求項１１に記載の往復式鉛筆削り器。
【請求項１４】
前記位置決めキャップの上面における位置決め孔の周縁に環状溝が凹設され、
前記ゴムカバーの下面に凸環部が突設され、該凸環部は、前記位置決めキャップの環状溝に対応するように設置され、該位置決めキャップにゴムカバーが設置されることを特徴とする請求項１３に記載の往復式鉛筆削り器。
【請求項１５】
前記ゴムカバーの底端に、外径が前記位置決めキャップの位置決め孔の内径より小さくない球体が設けられ、該球体が前記位置決めキャップの位置決め孔を貫通して前記ゴムカバーが位置決めキャップに組み合わせ、また、前記ゴムカバーの上端に縦向長溝が形成されることを特徴とする請求項１３に記載の往復式鉛筆削り器。
【請求項１６】
前記ケースの内壁面における開口端の近傍箇所に、階段面が形成され、該ケースの階段面に前記カバーの底面外縁部が当接され、該カバーの上面に複数の凸部が突設され、
前記位置決めキャップの底部に複数の凹部が形成され、該凹部に前記カバーの凸部が設置されることにより、該位置決めキャップとカバーとが結合されることを特徴とする請求項１１に記載の往復式鉛筆削り器。
【請求項１７】
前記位置決めキャップにゴムカバーが設置されることを特徴とする請求項１６に記載の往復式鉛筆削り器。
【請求項１８】
前記位置決めキャップの上面における位置決め孔の周縁に環状溝が凹設され、
前記ゴムカバーの下面に凸環部が突設され、該凸環部は、前記位置決めキャップの環状溝に対応するように設置され、該位置決めキャップにゴムカバーが設置されることを特徴とする請求項１７に記載の往復式鉛筆削り器。
【請求項１９】
前記ゴムカバーの底端に、外径が前記位置決めキャップの位置決め孔の内径より小さくない球体が設けられ、該球体が前記位置決めキャップの位置決め孔を貫通して前記ゴムカバーが位置決めキャップに組み合わせ、また、前記ゴムカバーの上端に縦向長溝が形成されることを特徴とする請求項１８に記載の往復式鉛筆削り器。
【請求項２０】
上端に開口端が形成されると共に、底端に閉鎖端が形成される、前記刀具を回転可能に設置するためのケースを有し、該ケースに前記カバーが設置されることを特徴とする請求項１乃至５の何れか１項に記載の往復式鉛筆削り器。
【請求項２１】
前記カバーに貫通孔が形成され、
前記刀具の底面に、少なくとも１つの当接片が突設され、該当接片の底端に、外側に向かって掛け部が設けられ、
また、前記刀具の当接片が前記カバーの貫通孔を貫通して該掛け部が前記カバーの底面の貫通孔の縁部に係合されることを特徴とする請求項１乃至５の何れか１項に記載の往復式鉛筆削り器。
【請求項２２】
前記カバーの上部にキャップが設置され、前記刀具は、カバーとキャップとの間に形成された空間に位置することを特徴とする請求項２１に記載の往復式鉛筆削り器。
【発明の詳細な説明】
【技術分野】
【０００１】
本発明は、簡単に且つスピーディーに鉛筆を削ることができる鉛筆削り器に関するものである。
【背景技術】
【０００２】
鉛筆は、文字を書いたり、絵を描くための文房具であり、その芯は黒鉛からなり、芯の外部に木材を張り合わされてなるものである。また、鉛筆は、硬くて丈夫な構成を有し、消しゴムで消しやすいという利点があることから、既存の様々なペン（例えば、シャープペンシルや、ボールペン、万年筆など）に比べて、愛用者が非常に多い。
【０００３】
鉛筆を使用する時、或いは、一定程度使用した後には、再び芯を鉛筆軸から露出させるために、周りの木材を鉛筆削り器を用いて削る必要がある。また、前記既存の鉛筆削り器は主に、屑箱を備え、該屑箱と連通する位置に刀座が設置されると共に、該刀座を貫通するような貫通孔が穿設され、更に、該貫通孔の開口は屑箱の表面に位置し、該刀座の一側における貫通孔の近傍に刃部が設けられるものである。尚、前記既存の鉛筆削り器を使用する時は、一方の手で屑箱を持ち、他方の手で鉛筆を持って刀座に挿し込み、鉛筆を回転させながら、鉛筆軸と芯を削り、芯を木材部から鋭く露出させればよい。
【発明の概要】
【発明が解決しようとする課題】
【０００４】
しかしながら、前記既存の鉛筆削り器は、実際に使用する時に以下のような欠点を有する。鉛筆は、鉛筆軸及び芯を削るために、一方向に回転させるが、腕の回転角度には限度を有することから、使用者は、手で鉛筆を持って一定程度回転させた後、必ず一旦鉛筆を離して再度持ち直してから回転させる必要があるので、芯を適当な長さまで露出させるためには、上述した動作を何度も繰り返す必要があった。
【０００５】
上述したように、前記既存の鉛筆削り器は、何度も鉛筆を持ち直す必要があることから、操作が面倒であり、鉛筆を削るスピードも遅いので、改良する必要があった。
【課題を解決するための手段】
【０００６】
本発明に係る往復式鉛筆削り器は、カバーと、刀座と、該刀座に設置されるカッターとを備える刀具と、
該刀座とカバーとの間に、該刀具が該カバーに対して順行回転させれば停止となり、逆行回転させれば稼動する、一方向に回転するつめ車装置とを有する。
【０００７】
前記つめ車装置は、前記刀具に設置される回転部と、前記カバーに設置される止め部とを含み、その内、該止め部は、該回転部の周囲と対応するように位置する。
【０００８】
前記回転部はつめ歯車であり、外縁部から外側に向かって複数のつめ歯が形成され、
前記止め部は内止め歯車であり、止め歯を備え、
前記回転部のつめ歯が止め部の止め歯に噛合される。
【０００９】
前記回転部は止め歯車であり、止め歯を備え、
前記止め部はつめ歯車であり、内縁部に内側に向かって複数のつめ歯が形成され、
前記つめ歯が回転部の止め歯に噛合される。
【００１０】
前記回転部は環状体であり、
前記止め部は複数の止め歯を備える内止め歯車であり、
前記止め部における内止め歯車の各止め歯と回転部の外壁面との間に、少なくとも１つの転動部材が設置され、該転動部材は、該止め部における内止め歯車の止め歯及び回転部の外壁面に接触する。
【００１１】
前記回転部は止め歯車であり、止め歯を備え、
前記止め部は環状体であり、
前記回転部における止め歯車の各止め歯と止め部の内壁面との間に、少なくとも１つの転動部材が設置され、該転動部材は、該回転部の止め歯車の止め歯及び止め部の内壁面に接触する。
【００１２】
前記カバーに孔部が形成され、
前記刀具の上面に少なくとも１つの当接片が突設され、該当接片は、上端に外側に向かって掛け凸部が突設され、
前記刀具における、該当接片が前記カバーの孔部を貫設されて、該掛け凸部を前記カバーの上面の孔部の縁部に係合させる。
【００１３】
上端に開口端が形成されると共に、底端に閉鎖端が形成される、前記刀具を回転可能に設置するためのケースを有し、該ケースに前記カバーが設置される。
【００１４】
前記ケースの内部に位置するロッド体を備える調整ロッドと、該ロッド体の上端に連接されると共に、軸方向に沿って移動可能に前記刀座の底端に嵌設されるストッパーとを有する調整装置を含む。
【００１５】
前記ケースの底部における閉鎖端に貫通孔が穿設され、該貫通孔の周縁に、間隔をおいて複数の連接片が突設され、
前記調整装置における前記調整ロッドのロッド体の底端に複数の位置決め片が突設され、該各位置決め片に外ねじ山が形成され、
前記ロッド体は、前記ケースの貫通孔を貫通すると共に、前記位置決め片は、前記ケースの外部に位置し、該各位置決め片は、隣接する２つの連接片との間に位置し、
前記調整装置はさらに回転座を有し、該回転座は、前記位置決め片及び連接片の外側に周設されると共に、螺孔が穿設され、該螺孔に前記外ねじ山が螺合される
【００１６】
前記ケースの内壁に、間隔をおいて複数のフィンが突設される。
【００１７】
前記ケース及びカバーの上方に位置し、中心に穿設される位置決め孔と、該位置決め孔の周縁に、間隔をおいて突設される複数の弾性アームとを備える、中空のカバーである位置決めキャップを有する。
【００１８】
前記ケースにおける管体の壁部の開口端の近傍にそれぞれ、間隔をおいて下方に向かって複数の凹部が凹設され、
前記カバーの外周縁から外側に向かって、それぞれ前記ケースの凹部と対応するように複数の翼板が突設され、該翼板を介して前記カバーが前記ケースの凹部に嵌め込まれる。
【００１９】
前記位置決めキャップにゴムカバーが設置される。
【００２０】
前記位置決めキャップの上面における位置決め孔の周縁に環状溝が凹設され、
前記ゴムカバーの下面に凸環部が突設され、該凸環部は、前記位置決めキャップの環状溝に対応するように設置され、該位置決めキャップにゴムカバーが設置される。
【００２１】
前記ゴムカバーの底端に、外径が前記位置決めキャップの位置決め孔の内径より小さくない球体が設けられ、該球体が前記位置決めキャップの位置決め孔を貫通して前記ゴムカバーが位置決めキャップに組み合わせ、また、前記ゴムカバーの上端に縦向長溝が形成される。
【００２２】
前記ケースの内壁面における開口端の近傍箇所に、階段面が形成され、該ケースの階段面に前記カバーの底面外縁部が当接され、該カバーの上面に複数の凸部が突設され、
前記位置決めキャップの底部に複数の凹部が形成され、該凹部に前記カバーの凸部が設置されることにより、該位置決めキャップとカバーとが結合される。
【００２３】
前記カバーに貫通孔が形成され、
前記刀具の底面に、少なくとも１つの当接片が突設され、該当接片の底端に、外側に向かって掛け部が設けられ、
また、前記刀具の当接片が前記カバーの貫通孔を貫通して該掛け部が前記カバーの底面の貫通孔の縁部に係合される。
【００２４】
前記カバーの上部にキャップが設置され、前記刀具は、カバーとキャップとの間に形成された空間に位置する。
【発明の効果】
【００２５】
本発明に係る往復式鉛筆削り器は、上記の課題を解決するものであり、刀座とカバーとの間に、刀具がカバーに対して順行回転させれば停止となり、逆行回転させれば稼動する、一方向の回転を制限するつめ車装置が設置されることから、使用者が手で鉛筆を順行に回転させても、刀具はカバーに対して順行回転できないので、刃部によって鉛筆軸と芯を削ることができる。一方、逆行回転させる時、鉛筆の端部は、刀具の貫通孔の周囲の壁体に押止されることから、刀具を押動しながらケースに対して逆転させることができ、手を元の位置に復位して鉛筆を往復回転させ、手で鉛筆を握った位置を変わらないように、力の施した位置を変わることが不要であり、簡単に力を施すと共に、スピーディーに鉛筆を削る効果を提供する。
【図面の簡単な説明】
【００２６】
【図１】本発明に係る第一実施例の斜視透視図である。
【図２】本発明に係る第一実施例の分解斜視図である。
【図３】本発明に係る第一実施例の側面断面図である。
【図４】本発明に係る第一実施例の使用状態を示す斜視透視図である。
【図５】本発明に係る第一実施例の平面断面図である。
【図６】本発明に係る第二実施例の平面断面図である。
【図７】本発明に係る第三実施例の斜視透視図である。
【図８】本発明に係る第三実施例の分解斜視図である。
【図９】本発明に係る第三実施例の側面断面図である。
【図１０】本発明に係る第三実施例の平面断面図である。
【図１１】本発明に係る第四実施例の平面断面図である。
【図１２】本発明に係る第五実施例の斜視透視図である。
【図１３】本発明に係る第五実施例の側面断面図である。
【図１４】本発明に係る第五実施例の部分分解斜視図である。
【図１５】本発明に係る第六実施例の斜視透視図である。
【図１６】本発明に係る第六実施例の側面断面図である。
【図１７】本発明に係る第七実施例の部分斜視透視図である。
【図１８】本発明に係る第七実施例の部分分解斜視図である。
【図１９】本発明に係る第七実施例の側面断面図である。
【図２０】図１９における２０−２０の平面断面図である。
【発明を実施するための形態】
【００２７】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００２８】
図１乃至図３に示すように、本発明に係る往復式鉛筆削り器は、ケース１０と、刀具２０と、カバー３０と、位置決めキャップ４０とを有するものである。前記ケース１０は中空の円管体であり、その上端に開口端が形成されると共に、底端に閉鎖端が形成され、管体の壁部における開口端の近傍にそれぞれ、間隔をおいて下方に向かって複数の凹部１１が凹設され、管体の内壁に、間隔をおいて内側に向かって、且つ軸方向に沿って複数のフィン１２が突設される。
【００２９】
前記カバー３０は環状体であり、前記ケース１０に設置され、その中央に孔部３１が形成され、外周縁から外側に向かって、該ケース１０の凹部１１に対応する複数の翼板３２が突設される。
【００３０】
前記刀具２０は鉋であり、前記ケース１０に回転可能に設置され、主に軸フレーム２１と、刀座２２と、カッター２３とを有し、その内、該軸フレーム２１は、円形のディスク２１１を備え、該ディスク２１１の中心に貫通孔２１２が穿設され、該ディスク２１１の上面における貫通孔２１２の周縁に上方に向かって少なくとも１つの当接片２１３が突設され、該各当接片２１３は、弾力を有し、その上端に外側に向かって掛け凸部２１４が突設される。また、前記刀具２０における、前記当接片２１３が前記カバー３０の孔部３１を貫通して、該掛け凸部２１４が前記カバー３０の上面の孔部３１の縁部に係合され、前記ディスク２１１の底面に配置カバー２１６が形成される。
【００３１】
前記刀座２２には、テーパー状の貫通孔２２１が穿設され、該貫通孔２２１の一側が開放状を呈し、また、該刀座２２は、該貫通孔２２１が軸フレーム２１の貫通孔２１２と対応するように、該軸フレーム２１の配置カバー２１６に設置され、前記カッター２３は、刃部２３１が該貫通孔２２１と連通する箇所に位置するように、前記刀座２２の一側に設置される。
【００３２】
また、前記刀座２２とカバー３０との間に、前記刀具２０がカバー３０に対して順行回転させれば停止となり、逆行回転させれば稼動する、一方向の回転を制限するつめ車装置が設置され、そのつめ車装置は、前記ディスク２１１の上面及び当接片２１３の周縁に設置される回転部２１５と、該カバー３０の底面周縁に設置される止め部３３とを含む。尚、図に示した実施例においては、前記回転部２１５と当接片２１３は、分解可能な２つの部材であり、その内、該回転部２１５は、中心に結合孔２１５２が穿設され、該結合孔２１５２によって、該回転部２１５を該当接片２１３の周囲に設置されると共に、該回転部２１５の結合孔２１５２の周囲の壁部に凹部２１５３が形成され、前記ディスク２１１の上面に係合凸部２１７が形成され、該係合凸部２１７に対応するように該凹部２１５３が位置決め係合される。
【００３３】
前記止め部３３は、前記回転部２１５の周囲と対応するように位置することから、前記刀具２０をカバー３０に対して一方向に回転させることができる。即ち、前記刀具２０がカバー３０に対して順行に回転する時（図５における実線の矢印方向）、前記止め部３３と回転部２１５とは、互いに係合して回転することができなく、一方、該刀具２０が逆行に回転する時、前記止め部３３と回転部２１５とは、その係合状態が解除され、該刀具２０がカバー３０に対して逆行にスムーズに回転することができ、且つ、該カバー３０―が翼板３２を介して前記ケース１０の凹部１１に対応するように嵌り込まれるので、該刀具２０をケース１０に位置させることができる。また、前記刀具２０の回転部２１５及びカバー３０の止め部３３の仕組みによって、前記刀具２０がカバー３０及びケース１０に対して、順行回転させれば停止となり、逆行回転させれば稼動するとの状態になる。
【００３４】
前記位置決めキャップ４０は、中空のカバーであり、中心に位置決め孔４１が穿設され、該位置決め孔４１の周縁に、間隔をおいて下方に向かって複数の弾性アーム４２が突設されると共に、底面に結合凹部が凹設され、該結合凹部は、前記ケース１０の開口端に取り付けられるように、カバー３０の上方に位置し、さらに、該位置決めフタ４０の位置決め孔４１は、該カバー３０の孔部３１に対応している。
【００３５】
図４に示すように、本発明を使用する時は、一方の手でケース１０を持ち、他方の手の鉛筆７０を位置決めキャップ４０の位置決め孔４１から刀具２０の刀座２２の貫通孔２２１に挿入してカッター２３の刃部２３１と接触させ、鉛筆７０を順行に回転させる。この時、つめ車装置により、刀具２０がケース１０に対して順行に回転しないようにできるので、カッター２３により鉛筆７０の鉛筆軸及び芯を削ることができる。また、操作する時、鉛筆７０を持つ手は、一定程度の角度を順行に回転してから直接に反対する方向に逆転する、この時、鉛筆７０の端部が刀具２０の貫通孔２２１の周囲の壁体に押止されることから、刀具２０を逆転させることができる、且つ、手の鉛筆７０を持つ位置を変更せずに往復回転することができる。
【００３６】
上述したような順行回転は、前記鉛筆７０を刀具２０の刀座２２の貫通孔２２１に挿入してカッター２３の刃部２３１に向かって回転させる方向であることから、該刀具２０は、カバー３０に対して停止状態となる。一方、逆行回転は、鉛筆７０を刀具２０の刀座２２の貫通孔２２１に挿入してカッター２３の刃部２３１と反対する方向に向かって回転させる方向であり、逆転する時、該鉛筆７０は、刀具２０を押動してカバー３０に対して回転させることができる。
【００３７】
前記つめ車装置によって、鉛筆７０を削るための刀具２０の回転方向は、時計の右回り或いは時計の左回りとしても構わない。上述したように、前記鉛筆７０を繰り返し往復させて鉛筆７０を削ることから、鉛筆７０を持つ位置を変更せず、即ち、力を入れる位置も変更する必要がないので、簡単に力を入れることができると共に、スピーディーに鉛筆を削ることができる。
【００３８】
さらに、本発明の構成によれば、前記鉛筆７０を位置決めキャップ４０の位置決め孔４１に挿入すると、位置決めキャップ４０の弾性アーム４２が、該鉛筆７０の鉛筆軸を押圧して安定的に鉛筆７０を固定することから、該鉛筆７０を回転させる時、該鉛筆７０を刀具２０と同一の軸方向に維持させることができ、それにより、該鉛筆７０と刀具２０との軸方向がずれないように維持できるので、該鉛筆７０の芯を折ることはない。なお、本実施例によれば、前記刀具２０を回転させる時、ケース１０の内部のフィン１２が刀具２０で削った削り屑を弾くので、ケース１０の一側に集中することのないように、平均的にケース１０に分布させることができる。
【００３９】
本発明における本実施例においては、前記鉛筆７０の削り端と反対する端にゴムカバー６０が設置できる構成であるので、鉛筆７０の長さを延長することができるので、鉛筆７０を削る時に回転しやすくなる。
【００４０】
また、長期間の使用により、刀具２０のカッター２３が磨耗した場合には、刀具２０を取り外して交換することができることから、鉛筆削り器を廃棄せずに、使用し続けることができるので、資源の有効利用に繋がる。
【００４１】
また、本発明における本実施例においては、ケース１０及び位置決めキャップ４０を設置しなくても構わなく、刀具２０と、つめ車装置と、カバー３０があれば、使用することができる。尚、使用の際は、一方の手でカバー３０を持ち、他方の手で鉛筆７０を持って刀具２０の刀座２２の貫通孔２２１に挿入し、往復回転させれば、鉛筆７０を削ることができる。
【００４２】
図５に示す本発明における第一実施例においては、回転部２１５としてつめ歯車を用いると共に、その外縁部に、外側に向かって弾性を有する複数のつめ歯２１５１が形成される。尚、該回転部２１５と軸フレーム２１は、それぞれ別個の２つの部材でもよく、或いは、回転部２１５を直接に軸フレーム２１のディスク２１１の上面に設けた一体成形として、該つめ歯２１５１とディスク２１１の上面との間に、所定の距離で形成してもよい。
【００４３】
また、前記カバー３０における底面の周縁に、前記つめ歯２１５１と対応するような内止め歯車である止め部３３が形成されると共に、該つめ歯２１５１は、止め部３３の止め歯３３１に噛合される。
【００４４】
更に、本発明における第一実施例においては、鉛筆７０を順行に（図５の実線の矢印方向）回転させると、鉛筆７０が刀具２０を押圧して順行方向に力がかかり、回転部２１５のつめ歯２１５１が止め部３３の止め歯３３１に係合することから、該刀具２０がケース１０に対して順行に回転できなくなり、その後、鉛筆７０を逆行に（図５の点線の矢印方向）回転させると、該回転部２１５のつめ歯２１５１が脱落し、止め部３３の止め歯３３１を乗り越えて、該刀具２０がケース１０に対して逆行に回転できるようになるので、鉛筆７０を往復回転させることができる。
【００４５】
図６は、本発明における第二実施例を示すものであり、前記第一実施例と異なるところは、次の通りである。第二実施例においては、回転部２１５Ａが止め歯車であると共に、止め部３３Ａがつめ歯車であり、該止め部３３Ａの内縁部に、内側に向かって弾性を有する複数のつめ歯３３１Ａが形成され、更に、該止め部３３Ａとカバー３０Ａとは、それぞれ別個の２つの部材であり、或いは、前記止め部３３Ａがカバー３０Ａの底面に一体に形成され、また、該つめ歯３３１Ａとカバー３０Ａの底面との間に、所定の距離が形成されると共に、つめ歯３３１Ａが回転部２１５Ａの止め歯２１５１Ａに噛み合われることができる。
【００４６】
本発明に係る第二実施例を使用する時は、順行に（図６の実線の矢印方向）鉛筆軸を回転させ、回転部２１５Ａの止め歯２１５１Ａを止め部３３Ａのつめ歯３３１Ａに係合させると、刀具２０Ａがケース１０Ａに対して順行に回転することができなくなり、逆行に（図６の点線の矢印方向）鉛筆軸を回転させて該回転部２１５Ａの止め歯２１５１Ａを離脱させると、該止め部３３Ａのつめ歯３３１Ａを乗り越え、刀具２０Ａをケース１０Ａに対して逆行に回転させることができるので、鉛筆を往復回転させることができる。
【００４７】
また、本発明に係る第一及び第二実施例における、回転部２１５、２１５Ａと止め部３３、３３Ａはそれぞれ、止め歯車とつめ歯車との仕組みであることから、鉛筆を順行回転させると、該止め歯車の止め歯とつめ歯車のつめ歯とが互いに係合するので、該回転部２１５、２１５Ａの止め部３３、３３Ａに対する回転が不能となり、また、鉛筆を逆行回転させると、該止め歯車の止め歯とつめ歯車のつめ歯とが解除されるので、該回転部２１５、２１５Ａが止め部３３、３３Ａに対して回転できるようになる。更に、この実施例によれば、逆行に回転する時、つめ歯が止め歯を乗り越えると、音及び振動を生じて、使用者に、その回転効果がしっかり行われておることを知らせる。
【００４８】
図７乃至図１０に示すように、本発明における第三実施例は、回転部２１５Ｂが環状体であり、止め部３３Ｂは、カバー３０Ｂの底面の周縁に形成されると共に、回転部２１５Ｂと対応するように位置する内止め歯車であり、該止め部３３Ｂの内止め歯車の各止め歯３３１Ｂと回転部２１５Ｂの外壁面との間に、それぞれ細長隙間が形成され、該細長隙間に少なくとも１つの転動部材２１５１Ｂが設置される。また、本実施例においては、前記各細長隙間に１つの転動部材２１５１Ｂが設置され、該転動部材２１５１Ｂは、前記止め部３３Ｂの内止め歯車の止め歯３３１Ｂ及び回転部２１５Ｂの外壁面に接触する。尚、前記転動部材２１５１Ｂは、図に示すような円柱状のものでもよく、ボール状のものでもよい。
【００４９】
また、本発明の第三実施例においては、順行に（図１０の実線の矢印方向）鉛筆を回転させると、前記転動部材２１５１Ｂが、前記回転部２１５の外壁面と止め部３３Ｂの止め歯３３１Ｂとの間の細長隙間に押し込まれてしっかりと係合されることから、刀具２０Ｂがケース１０Ｂに対して順行回転できなくなり、その後、鉛筆を逆行に（図１０の点線の矢印方向）回転させると、該転動部材２１５１Ｂが、係合された状態から離脱すると共に、該止め部３３Ｂの止め歯３３１Ｂの一側に回転可能に接触することによって、該刀具２０Ｂがケース１０Ｂに対して逆行回転できるようになるので、鉛筆を往復回転させることができる。
【００５０】
図７乃至図９に示すように、本発明はさらに、調整装置５０Ｂを有し、ケース１０Ｂの底部における閉鎖端の中央に貫通孔１３Ｂが穿設されると共に、該ケース１０Ｂの底部の貫通孔１３Ｂの周縁に、間隔をおいて下方に向かって複数の弧状の連接片１４Ｂが突設される。
【００５１】
前記調整装置５０Ｂは、調整ロッド５１Ｂと、ストッパー５２Ｂと、回転座５３Ｂと、キャップ５４Ｂとを備え、その内、調整ロッド５１Ｂは、ロッド体５１１Ｂを有し、該ロッド体５１１Ｂの底端に複数の弧状の位置決め片５１２Ｂが突設され、該各位置決め片５１２Ｂに外ねじ山５１３Ｂが形成され、また、該調整ロッド５１Ｂのロッド体５１１Ｂは、ケース１０Ｂの貫通孔１３Ｂを通ってケース１０Ｂの内部に設置され、該位置決め片５１２Ｂは、ケース１０Ｂの外部に位置する。尚、前記各位置決め片５１２Ｂは、隣接した２つの連接片１４Ｂとの間に位置するものである。一方、前記ストッパー５２Ｂは、前記ロッド体５１１Ｂの上端に連接されると共に、軸方向に沿って移動可能に刀座２２Ｂの貫通孔２２１Ｂの底端に貫設され、前記回転座５３Ｂは、位置決め片５１２Ｂ及び連接片１４Ｂの外側に周設され、該位置決め片５１２Ｂの外ねじ山５１３Ｂに回転座５３Ｂの螺孔５３１Ｂが螺合され、更に、その中央に螺孔５３１Ｂが穿設され、前記キャップ５４Ｂは、該回転座５３Ｂの螺孔５３１Ｂの底端に設置されると共に、該連接片１４Ｂに組み合わせる。
【００５２】
前記調整装置５０Ｂは、鉛筆の芯の鋭さを調整するための構造であり、その回転座５３Ｂの回転によって、ストッパー５２Ｂに連動し、且つ、該調整ロッド５１Ｂの各位置決め片５１２Ｂが隣接した２つの連接片１４Ｂとの間に位置することから、該調整ロッド５１Ｂを制限して軸方向のみの移動としており、この構成によれば、前記ストッパー５２Ｂが刀座２２Ｂの貫通孔２２１Ｂの底端に軸方向の位置を変更することができる。鉛筆を削る時に、芯の先端がそのストッパー５２Ｂに当接されると、鉛筆の芯を削り続けなくなる。そのストッパー５２Ｂが貫通孔２２１Ｂに深い位置に移動すると、鉛筆の芯を削られた部分が少なくなり、鈍い鉛筆の芯を得る。また、そのストッパー５２Ｂが貫通孔２２１Ｂから浅い位置に移動すると、鉛筆の芯を削られた部分が多くなり、鋭い鉛筆の芯を得る。それによれば、様々な要求に応じて鉛筆の芯の適宜な鋭さを提供することができる。
【００５３】
図１１は、本発明における第四実施例を示すものであるが、以下、前記第三実施例と異なるところを説明する。
第四実施例における回転部２１５Ｃは止め歯車であり、止め部３３Ｃは、該回転部２１５Ｃに対応するような環状体であり、カバー３０Ｃにおける底面の周縁に形成されると共に、該回転部２１５Ｃの止め歯車の各止め歯２１５０Ｃと止め部３３Ｃの内壁面との間に細長隙間が形成され、該細長隙間に少なくとも１つの転動部材２１５１Ｃが設置される。尚、上述したように、本実施例においては、前記各細長隙間に１つの転動部材２１５１Ｃが設置され、該転動部材２１５１Ｃは、前記回転部２１５Ｃの止め歯車の止め歯２１５０Ｃ及び止め部３３Ｃの内壁面と接触する。
【００５４】
また、本発明における第四実施例を使用する時は、鉛筆を順行に（図１１の実線の矢印方向）回転させると、前記転動部材２１５１Ｃが回転部２１５Ｃの止め歯２１５０Ｃと止め部３３Ｃの内壁面との間の細長隙間に押し込まれてしっかりと係合され、刀具２０Ｃがケース１０Ｃに対して順行回転できなくなり、その後、鉛筆を逆行（図１１の点線の矢印方向）回転させると、該転動部材２１５１Ｃが係合した状態から離脱し、回転可能に回転部２１５Ｃの止め歯２１５０Ｃに進み、該刀具２０Ｃをケース１０Ｃに対して逆行回転可能とするので、鉛筆を往復回転させることができる。
【００５５】
更に、本発明における第三及び第四実施例において、前記回転部２１５Ｂ、２１５Ｃと止め部３３Ｂ、３３Ｃは、鉛筆の鉛筆軸を順行回転させる時に、前記転動部材２１５１Ｂ、２１５１Ｃを回転部２１５Ｂ、２１５Ｃと止め部３３Ｂ、３３Ｃとの間の細長隙間に係合させることから、該回転部２１５Ｂ、回転部２１５Ｃを止め部３３Ｂ、止め部３３Ｃに対して回転不能とし、また、鉛筆を逆行回転させると、該転動部材２１５１Ｂ、２１５１Ｃを脱離させるので、回転部２１５Ｂ、２１５Ｃを止め部３３Ｂ、止め部３３Ｃに対して回転させることができ、更に、鉛筆を逆行回転させる時、つめ歯と止め歯との間に、音や振動が生じてないので、静かに回転させることができる。
【００５６】
図１２乃至図１４は、本発明における第五実施例を示すものであるが、以下、前記実施例と異なるところを示す。
ケース１０Ｄは、内壁面の開口端付近に階段面１１Ｄが形成され（図１３の如く）、カバー３０Ｄは、底面の外縁部が該ケース１０Ｄの階段面１１Ｄに当接されると共に、上面の貫通孔３１Ｄの周囲に、間隔をおいて上方に向かって複数の凸部３２Ｄが突設され、位置決めキャップ４０Ｄは、底部に複数の凹部４３Ｄが形成される。また、本実施例では、前記カバー３０Ｄの凸部３２Ｄを該凹部４３Ｄに設置して、該位置決めキャップ４０Ｄとカバー３０Ｄとを互いに結合する構成であることから、前記ケース１０Ｄにたまった削り屑を排出する場合は、単に該位置決めキャップ４０Ｄをケース１０Ｄから取り外すだけでよく、且つ、そのカバー３０Ｄと位置決めキャップ４０Ｄとは、一緒に取り外すことができることから、一回の操作で位置決めキャップ４０Ｄ及びカバー３０Ｄを、ケース１０Ｄから取り外すことができるので、使用上、非常に便利である。
【００５７】
図１２乃至図１４に示すように、本発明においては、ゴムカバー６０Ｄが位置決めキャップ４０Ｄに設置されても構わなく、つまり、該位置決めキャップ４０Ｄの上面における位置決め孔４１Ｄの周縁に環状溝４４Ｄが凹設され、該ゴムカバー６０Ｄの下面に、該位置決めキャップ４０Ｄの環状溝４４Ｄと対応するように凸環部６１Ｄが突設される。また、この構成によれば、鉛筆を削る時に、前記ゴムカバー６０Ｄを位置決めキャップ４０Ｄから取り外して鉛筆の外側に設置することにより、鉛筆の長さを延長することができると共に、該ゴムカバー６０Ｄの内部に複数の押しリブ６２Ｄが設置され、その押しリブ６０が鉛筆７０の外側を押圧することから、使用者は安定的に鉛筆を保持することができ、更に、鉛筆を削った後、該ゴムカバー６０Ｄを位置決めキャップ４０Ｄと組み合わせて一緒に収納することができるので、使用上の利便性が高い。
【００５８】
図１５及び図１６は、本発明に係る第六実施例を示すものであるが、以下、前記第五実施例と異なるところを示す。
第六実施例においては、ゴムカバー６０Ｅが、細長い円筒状を呈し、その底端に球体６１Ｅが形成され、該球体６１Ｅの外径は、位置決めキャップ４０Ｅの位置決め孔４１Ｅの内径より小さくなく、該ゴムカバー６０Ｅは、球体６１Ｅを介して位置決めキャップ４０Ｅの位置決め孔４１Ｅを貫通するように位置決めフタ４０Ｅに組み合わされる。さらに、この実施例によれば、前記ゴムカバー６０Ｅの上端に縦向長溝６２Ｅが形成されることから、鉛筆を削る時に、ゴムカバー６０Ｅを位置決めキャップ４０Ｅから取り外し、鉛筆７０を該縦向長溝６２Ｅに差し込むことにより、鉛筆７０の長さを延長することができる。
【００５９】
図１７乃至図２０に示すように、本発明に係る第七実施例は、カバー３０Ｆと、刀具２０Ｆとを有する。
【００６０】
前記カバー３０Ｆは、中央に貫通孔３１Ｆが形成されると共に、上部にキャップ３２Ｆを備え、該キャップ３２Ｆは、中央に位置決め孔３２１Ｆが形成される。
【００６１】
前記刀具２０Ｆは、刀座２２Ｆと、該刀座２２Ｆに設置されるカッター２３Ｆとを備え、該刀座２２Ｆに円錐状の貫通孔２２１Ｆが穿設されると共に、該刀座２２Ｆの底端にディスク２２２Ｆが設けられ、該ディスク２２２Ｆの中心に、該貫通孔２２１Ｆと対応する貫通孔２２３Ｆが穿設され、該ディスク２２２Ｆの底面における貫通孔２２３Ｆの周囲の縁部に、下方に向かって少なくとも１つの弾性を有する当接片２２４Ｆが突設され、更に、該各当接片２２４Ｆの底端に外側に向かって掛け部２２５Ｆが設けられる。尚、この実施例によれば、前記刀具２０Ｆは、前記当接片２２４Ｆがカバー３０Ｆの貫通孔３１Ｆを貫通して当接片２２４Ｆの掛け部２２５Ｆがカバー３０Ｆの底面の貫通孔３１Ｆの縁部に係合される、かつ、前記刀具２０Ｆがカバー３０Ｆとキャップ３２Ｆとの間に形成された空間に位置する。
【００６２】
また、前記刀具２０Ｆは、刀座２２Ｆとカバー３０Ｆとの間において、カバー３０Ｆに対して順行回転させれば停止状態となり、一方、逆行回転させれば稼動する。尚、この実施例においては、一方向の回転を制限するためのつめ車装置が設置され、そのつめ車装置は、前記ディスク２２２Ｆの底面及び当接片２２４Ｆの周縁に設置される回転部２２６Ｆと、前記カバー３０Ｆの上面周縁に設置される止め部３３Ｆとを含み、この構成によれば、該止め部３３Ｆは回転部２２６Ｆの周囲に対応しているので、刀具２０Ｆをカバー３０Ｆに対して一方向に回転させることができる。
【００６３】
また、この構成によれば、前記刀具２０Ｆをカバー３０Ｆに対して順行回転させると（図２０の実線の矢印方向）、前記止め部３３Ｆと回転部２２６Ｆとが互いに係合し合って回転ができなくなり、一方、該刀具２０Ｆをカバー３０Ｆに対して逆行回転させると（図２０の点線の矢印方向）、該止め部３３Ｆと回転部２２６Ｆとが、係合状態から離脱するので、該刀具２０Ｆをカバー３０Ｆに対してスムーズに逆行回転させることができる。
【００６４】
図２０に示す実施例においては、回転部２２６Ｆがつめ歯車であり、その外縁部に外側に向かって弾性を有する複数のつめ歯２２６１Ｆが形成されると共に、該回転部２２６Ｆは、直接に刀座２２Ｆのディスク２２２Ｆの底面に一体に形成され、かつ回転部２２６Ｆとディスク２２２Ｆの底面との間に一定の間隔が形成されている。
【００６５】
前記止め部３３Ｆは、カバー３０Ｆにおける上面周囲の縁部に形成され、前記つめ歯２２６１Ｆに対応するような内止め歯車であり、前記回転部２２６Ｆのつめ歯２２６１Ｆは、止め部３３Ｆの内止め歯車の止め歯３３１Ｆに噛合される。
【００６６】
また、本発明に係る第七実施例を使用する時は、鉛筆をキャップ３２Ｆの位置決め孔３２１Ｆに差し込んで刀座２２Ｆの貫通孔２２１Ｆに挿設し、順行（図２０の実線の矢印方向）回転させると、回転部２２６Ｆのつめ歯２２６１Ｆが止め部３３Ｆの止め歯３３１Ｆに係合され、刀具２０Ｆのカバー３０Ｆに対する順行回転が不能となり、一方、逆行（図２０の点線の矢印方向）回転させると、該回転部２２６Ｆのつめ歯２２６１Ｆから離脱し、止め部３３Ｆの止め歯３３１Ｆを乗り越えて、該刀具２０Ｆがカバー３０Ｆに対して逆行回転できるようになる。故に、本発明に係る第七実施例によれば、ケース及び位置決めカバーを設置せずにカバー３０Ｆ及び刀具２０Ｆのみの設置でも、同様の効果をえることができる。
【産業上の利用可能性】
【００６７】
本発明は上記の構成を有することから、鉛筆を簡単に且つ短時間で削ることができる。
【符号の説明】
【００６８】
１０、１０Ａ、１０Ｂ、１０Ｃ、１０Ｄ、１０Ｅ        ケース
１１        凹部
１１Ｄ      階段面
１２        フィン
１３Ｂ      貫通孔
１４Ｂ      連接片
２０、２０Ａ、２０Ｂ、２０Ｃ、２０Ｄ、２０Ｅ、２０Ｆ        刀具
２１        軸フレーム
２１１      ディスク
２１２      貫通孔
２１３      当接片
２１４      凸部
２１５、２１５Ａ、２１５Ｂ、２１５Ｃ        回転部
２１５１    つめ歯
２１５１Ａ  止め歯
２１５１Ｂ、２１５１Ｃ        転動部材
２１５０Ｃ  止め歯
２１５２    結合孔
２１５３    凹部
２１６      配置カバー
２１７      係合凸部
２２、２２Ｂ、２２Ｆ        刀座
２２１、２２１Ｂ、２２１Ｆ        貫通孔
２２２Ｆ    ディスク
２２３Ｆ    貫通孔
２２４Ｆ    当接片
２２５Ｆ    掛け部
２２６Ｆ    回転部
２２６１Ｆ  つめ歯
２３、２３Ｆ  カッター
２３１      刃部
３０、３０Ａ、３０Ｂ、３０Ｃ、３０Ｄ、３０Ｅ、３０Ｆ        カバー
３１、３１Ｆ  貫通孔
３２        翼板
３２Ｆ      キャップ
３２１Ｆ    位置決め孔
３２Ｄ      凸部
３３、３３Ａ、３３Ｂ、３３Ｃ、３３Ｆ        止め部
３３１、３３１Ｂ、３３１Ｆ        止め歯
３３１Ａ    つめ歯
４０、４０Ｂ、４０Ｄ、４０Ｅ        位置決めキャップ
４１、４１Ｄ、４１Ｅ        位置決め孔
４２        弾性アーム
４３Ｄ      凹部
４４Ｄ      環状溝
５０Ｂ、５０Ｄ、５０Ｅ        調整装置
５１Ｂ      調整ロッド
５１１Ｂ    ロッド体
５１２Ｂ    位置決め片
５１３Ｂ    外ねじ山
５２Ｂ      ストッパー
５３Ｂ      回転座
５３１Ｂ    螺孔
５４Ｂ      キャップ
６０、６０Ｄ、６０Ｅ        ゴムカバー
６１Ｄ      凸環部
６２Ｄ      押しリブ
６１Ｅ      球体
６２Ｅ      縦向長溝
７０        鉛筆
【図１】
0005816982.tif 000002
【図２】
0005816982.tif 000003
【図３】
0005816982.tif 000004
【図４】
0005816982.tif 000005
【図５】
0005816982.tif 000006
【図６】
0005816982.tif 000007
【図７】
0005816982.tif 000008
【図８】
0005816982.tif 000009
【図９】
0005816982.tif 000010
【図１０】
0005816982.tif 000011
【図１１】
0005816982.tif 000012
【図１２】
0005816982.tif 000013
【図１３】
0005816982.tif 000014
【図１４】
0005816982.tif 000015
【図１５】
0005816982.tif 000016
【図１６】
0005816982.tif 000017
【図１７】
0005816982.tif 000018
【図１８】
0005816982.tif 000019
【図１９】
0005816982.tif 000020
【図２０】
0005816982.tif 000021